(57)【要約】【課題】トイレ等の狭い個室の中でのインスリン自己注射等の作業を支障なく簡単に行うことができるケースを提供する。【解決手段】ケース本体１１の側面に掛紐１３が取り付けられたケース１において、前記ケース本体１１は、略Ｖ字状に開口可能であり、前記掛紐１３によりケース本体１１を略Ｖ字状の開口状態で吊り下げた場合、ケース本体１１の前記掛紐１３取り付け側と反対側が略水平状態となるようにする。例えば、前記掛紐１３により吊り下げられて略Ｖ字状に開口した前記ケース本体１１の形状を、三角形と仮定した場合、前記掛紐１３の取り付け部から伸びる鉛直線が、前記三角形の重心若しくは前記重心よりも開口側を通るように前記掛紐１３を前記ケース本体１１に取り付ける。このケース１は、掛紐１３で吊り下げて開口しても、中身がこぼれ落ちない。【選択図】　図１
2004097561.tif 000002
【特許請求の範囲】
【請求項１】
ケース本体の側面に掛紐が取り付けられたケースであって、前記ケース本体は略Ｖ字状に開口可能であり、前記掛紐によりケース本体を略Ｖ字状の開口状態で吊り下げた場合、ケース本体の前記掛紐取り付け側と反対側が略水平状態となるケース。
【請求項２】
前記掛紐により吊り下げられて略Ｖ字状に開口した前記ケース本体の横から見た形状を、三角形と仮定した場合、前記掛紐の取り付け部から伸びる鉛直線が、前記三角形の重心若しくは前記重心よりも開口側を通るように前記掛紐が前記ケース本体に取り付けられた請求項１記載のケース。
【請求項３】
糖尿病関連用具を入れるのに使用される請求項１または２に記載のケース。
【請求項４】
ケース内部に、血糖測定器収納部、血糖測定器付属用具収納部、ランセット収納部、採血針収納部、インスリン注入器およびインスリン針収納部を有する請求項３記載のケース。
【請求項５】
ケース側面に、低血糖用グルコース収納部を有する請求項３または４記載のケース。
【発明の詳細な説明】
【０００１】
【発明の属する技術分野】
本発明は、ペン型インスリン注入器や血糖測定器等の糖尿病関連用具を収納して持ち運ぶのに便利なケースに関する。なお、本発明のケースの用途は、前記用途に限定されない。
【０００２】
【従来の技術】
インスリン依存型糖尿病患者は、自分自身で血糖値を管理し、必要に応じてインスリンを自己注射する必要があり、外出時等には、血糖測定器やペン型インスリン注入器等の糖尿病関連用具を携帯する。このため、通常、糖尿病関連用具は、まとめてポーチやバッグ等に収納して持ち運ばれている。また、糖尿病患者の多くは、他人の目を気にするため、インスリンの自己注射は、トイレの中で行われることが多いが、トイレは物を置く場所に乏しく、自己注射の不便さを訴える患者が多い。この問題を解決するために、ペン型インスリン注入器の携帯ケースにフック用の紐を取り付けたものが提案されている（非特許文献１参照）。このケースは、トイレのドアや壁にあるフックに紐を引っ掛けて使用するものである。しかし、インスリン自己注射では、注射針の取り付けや皮膚の消毒等の作業を要し、血糖の自己測定も同様の作業を要する。このため、前記携帯ケースは、トイレの中で、ケース自身の置き場に困るという問題は解決されるものの、自己注射等の作業がし難いという問題は、解決できていない。
【０００３】
【非特許文献１】
朝倉俊成　著「ペン型インスリン注入器携帯ケースを考える」プラクティス、Ｖｏｌ．１６、Ｎｏ．１、１９９９．１．２．ｐ．１００−１０１
【０００４】
【発明が解決しようとする課題】
本発明は、このような事情に鑑みなされたもので、トイレ等の狭い個室の中でのインスリン自己注射等の作業を支障なく簡単に行うことができるケースの提供を、その目的とする。
【０００５】
【課題を解決するための手段】
前記目的を達成するために、本発明のケースは、ケース本体の側面に掛紐が取り付けられたケースであって、前記ケース本体は、略Ｖ字状に開口可能であり、前記掛紐によりケース本体を略Ｖ字状の開口状態で吊り下げた場合、ケース本体の前記掛紐の取り付け側と反対側が略水平状態となるケースである。
【０００６】
本発明のケースは、例えば、トイレのドアや壁にあるフックに前記掛紐を引っ掛けて開口状態でケース本体を吊り下げると、Ｖ字に開口したケース本体の下側が略水平になるため、開口状態であっても収納物が外にこぼれることがない。例えば、前記略水平になった部分に、ペン型インスリン注入器、消毒用脱脂綿、インスリン針等を置くことができ、皮膚の消毒やインスリン針の取り付け作業等の一連の自己注射の作業を、手際よく行うことができる。このように、本発明のケースは、糖尿病関連用具の収納や携帯に最適であるが、用途はこれに限定されない。
【０００７】
【発明の実施の形態】
本発明のケースにおいて、前記掛紐により吊り下げられて略Ｖ字状に開口した前記ケース本体の横から見た形状を、三角形と仮定した場合、前記掛紐の取り付け部から伸びる鉛直線が、前記三角形の重心若しくは重心よりも開口側を通るように前記掛紐を前記ケース本体に取り付けられることが好ましい。この状態を図５に基づき説明する。同図において、６１は、前記ケース本体を三角形と仮定した場合の三角形あり、同図左側が開口側である。また、同図において、６２は、前記掛紐の取り付け部から伸びる鉛直線であり、Ｇは前記三角形の重心である。この三角形の図では、前記鉛直線６２は重心Ｇを通っている。掛紐の取り付け部分は、この鉛直線上若しくはこれよりも同図右側に位置することが好ましい。鉛直線が重心よりも開口側に位置すれば、掛紐で吊るした際に、開口側と反対側（ケースの底側）が下がる力が働き、逆に開口側には上を向く力が働くようになり、Ｖ字状に開口したケースの下側が、開口側が若干上を向いた状態になって、ケース中身が落ちることが防止される。したがって、本発明において。「略水平」とは、開口側が若干上を向いた状態も含む。
【０００８】
前述のように、本発明のケースは、糖尿病関連の用具を入れるのに使用されることが好ましい。この場合、前記ケース本体内部に、血糖測定器収納部、血糖測定器付属用具収納部、ランセット収納部、採血針収納部、インスリン注入器およびインスリン針収納部を有することが好ましい。また、ケース側面に、低血糖用グルコース収納部を有することも好ましい。
【０００９】
また、本発明のケースは、少なくともその表面が撥水性であることが好ましい。これは、本発明のケースを糖尿病関連用具の収納に使用した場合、トイレで使用することが多いからである。撥水性を付与する手段としては、撥水性素材を使用してケースを製造する方法やケースを撥水性素材でコーティングする方法が挙げられる。また、ケース内部も撥水性であることが好ましい。
【００１０】
本発明のケースは、クッション性を有することが好ましい。これは、本発明のケースを糖尿病関連用具の収納に使用した場合、血糖測定器やペン型インスリン注入器等の用具を収納することとなり、ケースを落としたりぶつけたりしたとき、これらの用具の破損を防止するためである。
【００１１】
本発明のケースは、内部が明るい色（例えば白色）であることが好ましい。これは、本発明のケースを糖尿病関連用具の収納に使用する場合、その使用者である糖尿病患者は一般に目が悪く、またトイレの照明が一般に暗いからである。
【００１２】
【実施例】
つぎに、本発明のケースの一例を図１から図４に基づき説明する。なお、これらの図において、同一部分には同一符号を付している。
【００１３】
図１は、前記ケース１の斜視図であり、図２（Ａ）は上面図、同図（Ｂ）は一方の側面図、同図（Ｃ）はもう一方の側面図である。図示のように、このケース１のケース本体１１は、一定の幅を持った矩形状であり、その幅方向中央を通るように二つの金具を有するチャック１２が取り付けられ、これにより開口および閉口が可能になっている。ケース本体１１の一方の側面には、外部ポケット１４が形成されており、その内部上方のケース本体壁面に掛紐１３がＵ字状に取り付けられている。この掛紐１３の取り付け位置は、前述のように、開口状態の前記ケース本体の横から見た形状を、三角形と仮定した場合、前記掛紐の取り付け部から伸びる鉛直線が、前記三角形の重心若しくは重心よりも開口側を通るような位置である。また、ケース本体１１のもう一方の側面には、ポケット１５が形成されている。
【００１４】
このケースの大きさは、その用途や利用者の種類等に応じ適宜決定される。ケース本体の大きさは、例えば、縦７０〜２３０ｍｍ×横１２０〜３００ｍｍ×幅２０〜８０ｍｍであり、好ましくは、縦１００〜２００ｍｍ×横１５０〜２７０ｍｍ×幅３０〜７０ｍｍであり、より好ましくは、縦１３０〜１７０ｍｍ×横１８０〜２４０ｍｍ×幅４０〜６０ｍｍである。掛紐の全長（一端から他端までの長さ）は、例えば、３００〜３０００ｍｍ、好ましくは４００〜２０００ｍｍ、より好ましくは５００〜１０００ｍｍである。なお、掛紐の長さは、普通のショルダーバッグのように、自由に調節できるようにしてもよい。このケース本体がＶ字状に開口した場合の開口角度は、ジッパーで調節できるが、例えば、１０〜９０度、好ましくは２０〜６０度、より好ましくは３０〜４０度である。ケースの素材は、特に制限されず、例えば、皮革、合成繊維等であってもよい。
【００１５】
掛紐１３をトイレのドアや壁にあるフックに引っ掛けて、ケース本体１１を吊り下げた状態を、図３に示す。図示のように、ケース本体１１をＶ字状に開口した場合、ケース本体１１の下側（掛紐が取り付けられている側と反対側）が略水平状態となっている。また、このケース本体１１には、一定の角度以上に開口しないように、その内部両側にはストッパー１７が形成されている。このようにケース本体１１の下側が略水平になれば、開口状態であって収納物がこぼれ落ちることが無く、糖尿病関連用具の出し入れが可能となる。
【００１６】
つぎに、ケース本体１１の内部構造と、その収納の状態を図４に示す。図示のように、ケース本体１１の一方の側（掛紐１３が取り付けられている側）の内壁には、血糖測定器５２等の収納部４２および血糖測定器の付属用具（例えば、センサー、消毒綿等）５１等の収納部４１が形成され、これの外側に、さらにランセット５３等の収納部４３がメッシュで形成され、その内部が目視で確認可能となっている。ケース本体１１の一方の側の外部にはポケット１４が形成されており、ここに、掛紐１３等が収納可能である。ケース本体１１の中央部には、ペン型インスリン注入器５５等が収納可能である。ケース本体１１の他方の側の内壁には、自己管理ノート５７等の収納部４６が形成されており、これの外側に、さらに採血針５４等の収納部４４およびインスリン針５６等の収納部４５が、メッシュで形成され、その内部が目視で確認可能となっている。ケース本体１１の他方の側の外側には、ポケット１５が形成され、ここに低血糖用グルコース５８を収納することが好ましい。これは、糖尿病患者が、インスリンを過剰に注射して低血糖に陥った場合、すぐに低血糖用グルコースが取り出せるからである。
【００１７】
【発明の効果】
以上のように、本発明のケースは、前記掛紐によりケース本体を略Ｖ字状の開口状態で吊り下げた場合、ケース本体の前記掛紐の取り付け側と反対側が略水平状態となるケースであり、開口状態であっても収納物が外にこぼれ落ちることがない。このため、本発明のケースを糖尿病関連用具の収納等に使用すれば、例えば、インスリンの自己注射のための一連の作業が、トイレのような狭い個室であっても容易に行える。但し、本発明のケースの用途は、これに限定されない。
【図面の簡単な説明】
【図１】図１は、本発明のケースの一例の斜視図である。
【図２】図２（Ａ）は、前記ケースの上面であり、同図（Ｂ）は、その一方の側の側面図であり、同図（Ｃ）は、その他方の側の側面図である。
【図３】図３は、前記ケースを掛紐で吊り下げた状態を示す図である。
【図４】図４は、前記ケースの内部構造を示す図である。
【図５】図５は、本発明のケースにおける掛紐の取り付け位置の条件を模式的に示す図である。
【符号の説明】
１　ケース
１１　ケース本体
１２　チャック
１３　掛紐
１４、１５　ポケット
１７　ストッパー
【図１】
2004097561.tif 000003
【図２】
2004097561.tif 000004
【図３】
2004097561.tif 000005
【図４】
2004097561.tif 000006
【図５】
2004097561.tif 000007